(57)【特許請求の範囲】
【請求項１】
束状構造を形成するカーボンナノチューブを別の容器（１０、１０３、１０６）から移して充填するための一つの容器（２０、２００）の使用であって、
上記容器（２０、２００）は開口を有し、この開口は上記の別の容器（１０、１０３、１０６）の別の弁（３１）に連結可能な弁（３２）が取り付けらており、
上記の一つの容器は包装容器（２００）または計量装置（２０）で、上記の別の容器は貯蔵容器であり、
（ａ）上記２つの弁（３１、３２）はバタフライ弁タイプの二重弁装置を形成し、その一方の弁（３２）は受け側弁で、他方の弁（３１）はアクティブ弁であり、
（ｂ）弁（３１、３２）の各々は平らな円形のシャッタ（３４または３５）をそれぞれ有し、
（ｃ）各シャッタ（３４または３５）は２つの弁（３１、３２）の連結面に対して平行な直径方向の軸線（Ｂ−Ｂ）に沿って延びたピボット軸を有し、
（ｄ）一つの弁（３１）の外周部には開口制御装置（３６）が取り付けられており、
（ｅ）弁（３１、３２）の各々は外側面を有し、これらの外側面は２つの弁（３１、３２）が連結（カップリング）動作した時に上記軸線（Ｂ−Ｂ）の回りでピボット運動し、互いに密着当接し、
（ｆ）２つの弁（３１、３２）が連結動作した時に上記開口制御装置（３６）がアンロックされ、カーボンナノチューブ（ＣＮＴ）が上記貯蔵容器から包装容器または計量装置へ移される時に、２つの弁（３１、３２）は互いに密着当接し、シャッタ（３４、３５）の２つの外側面が互いに密着当接し、２つのシャッタ（３４、３５）が軸線（Ｂ−Ｂ）の回りで上記ピボット軸によってピボット運動し、シャッタ（３４または３５）の上記外側面がカーボンナノチューブ（ＣＮＴ）によって汚染されない、
ことを特徴とする使用。
【請求項２】
２つの弁が連結されないときには開口制御装置（３６）がロックされる請求項１に記載の容器の使用。
【請求項３】
上記容器（２０）が受け側の弁（３２）が取り付けられた計量装置である、カーボンナノチューブ（ＣＮＴ）の移送での、請求項１または２に記載の容器の使用。
【請求項４】
上記容器が受け側の弁（３２）が取り付けられた容器（２００）である、カーボンナノチューブ（ＣＮＴ）の充填での、請求項１または２に記載の容器の使用。
【請求項５】
上記の別の容器（１０、１０３、１０６）が、開口制御装置（３６）が取り付けられたアクティブ弁（３１）を備えた貯蔵ホッパー（１０３、１０６）である請求項１に記載の容器の使用。
【請求項６】
上記の別の容器（１０、１０３、１０６）が、開口制御装置（３６）が取り付けられたアクティブ弁（３１）を備えた貯蔵容器（１０）である請求項１に記載の容器の使用。
【請求項７】
カーボンナノチューブ（ＣＮＴ）の粉末を収容する貯蔵容器（１０）と、この貯蔵容器（１０）からのカーボンナノチューブの粉末が充填される別の容器（２０）と、上記２つの容器（１０、２０）を連結する二重弁装置（３０）に連結された吸引装置（５０）とを有するカーボンナノチューブ（ＣＮＴ）の粉末を安全に包装または移送するための工業的システムにおいて、
請求項１〜６のいずれか一項に記載の容器を使用することを特徴とする工業的システム。
【請求項８】
上記工業的システムがＣＮＴを収容した第１容器とこの第１容器からＣＮＴ粉末を受ける第２容器との間の機械的結合を有し、移送時およびその後に、環境に対して可能最大限の密閉性および最高レベルの安全性を与えるために、上記機械的結合がバタフライ弁タイプの二重弁装置（３０）によって達成され、この二重弁装置の各弁（３１、３２）は上記容器の各々に取り付けられ且つこれらの弁が互いに連結された時にのみ作動可能であり、上記弁（３１、３２）は独立して密着状態に閉じることができ、開放空間に露出した上記弁の部分が移送時に汚染されない、ことを特徴とする請求項７に記載の工業的システム。
【請求項９】
ＣＮＴが0.4ナノメートル〜50ナノメートルの直径と直径の100倍以上の長さを有する請求項８に記載の工業的システム。
【請求項１０】
二重弁装置の少なくとも一つの弁（３１）がアクティブすなわち開口制御装置を有し、第２の弁（３２）が受け側弁である請求項８または９に記載の工業的システム。
【請求項１１】
バタフライ弁タイプの二重弁装置が平らかつコンパクトで、互いに対向したシャッタ（３４、３５）を有し、各シャッタはアクティブ弁（３１）の外周部にある開口制御装置の制御下に直径方向の軸線を中心にピボット運動する請求項７〜１０のいずれか一項に記載の工業的システム。
【請求項１２】
容器の直径を弁（３１、３２）の直径に合わせるためのアダプター（３３）をさらに有する請求項７〜１１のいずれか一項に記載の工業的システム。
【請求項１３】
カーボンナノチューブを製造する反応装置（１００）と、製造されたカーボンナノチューブを冷却するための冷却装置（１０１）と、前後に弁（３０１、３０２）を有するスクリーン（濾過）装置（１０２）と、カーボンナノチューブを貯蔵する貯蔵ホッパー（１０３）と、この貯蔵ホッパー（１０３）を他の容器（２００）に連結する二重弁装置（３０）とを含む工業プラントにおいて、
請求項７〜１２のいずれか一項に記載の工業的システムを有することを特徴とするカーボンナノチューブ（ＣＮＴ）の粉末を安全に包装または移送するための工業プラント。
【請求項１４】
下記を含む請求項１３に記載の工業プラント：
ＣＮＴを製造する反応装置（100）
冷却装置（101）
エアーロック（120）
空気輸送コンベヤ（400）
空気濾過装置（108）
減圧チャンバ（105）
インラインスクリーン（102）
貯蔵ホッパーとして使用する容器（106）
計量弁（104）
空気濾過器（107）
【発明の詳細な説明】
【技術分野】
【０００１】
本発明は、カーボンナノチューブ（ＣＮＴ）を一つの容器から別の容器へ安全に移すための工業的方法に関するものである。本発明はさらに、上記方法を用いた充填システムと、この充填システムを備えたカーボンナノチューブの安全な包装（パッケージング）プラントにも関するものである。
【背景技術】
【０００２】
カーボンナノチューブ（ＣＮＴ）は直径が0.4ナノメートル〜50ナノメートルで、長さが直径の100倍以上である粒子である。カーボンナノチューブ（ＣＮＴ）は束状構造を形成し、平均直径が約400ミクロンの粒度を有する粉末の形で存在する。
ＣＮＴの使用が拡大してきたことに伴って、ＣＮＴメーカは量的に多量のＣＮＴ粉末を取り扱うことになり、ＣＮＴを容器に包装（パッケージ）したり、反応装置と貯蔵ホッパーとの間で輸送する方法が求められている。しかし、ＣＮＴ粉末が空気中に放出された場合の危険は少ないか、現在のところ不明であるとしても、ＣＮＴのハンドリングし、ＣＮＴのパッケージング・輸送システムの設計に当たっては環境および個人に対する潜在的な安全性の問題を考慮する必要がある。実際に、本出願人はＣＮＴを一つの容器から他の容器へ充填する時の困難性に遭遇している。ＣＮＴを容器中に充填する工業プラントの設計では、容器へのパッケージング操作を行なわなければならない。
【０００３】
特許文献１（欧州特許第EP 1 468 917号公報）には粉末、顆粒、ペースト、液体または気体を1つの容器から他の容器へ移送する装置が記載されている。この移送装置は1つの容器の開口部を閉じる、開位置と閉位置との間を移動する円錐弁と、この円錐弁の駆動機構と、他の容器に配置されたシャットオフヘッドと、円錐弁をスラストさせた時に上記シャットオフヘッドを上記容器の内部へ移動させ、スラストを受けない場合、シャットオフヘッドが初期位置へ戻るようにする機構とを備えている。
円錐弁は容器内に収容された液圧式、電気式、空気圧式のシリンダ型駆動機構によって移動する。シャットオフヘッドは他の容器中に収容された戻り機構と連結している。弁の駆動機構は容器内に収容されている。従って、上記機構を外部から制御できるようにするために、容器にアダプターを付ける必要がある。
【０００４】
この特許文献１に記載の装置はカーボンナノチューブの移送に関するものではないが、いずれにせよ、この移送装置をカーボンナノチューブには使えない。すなわち、弁を駆動するスラスト機構が容器内部にあるため、この弁は被移送粉末と接触することになる。そのためこの弁は汚染され、故障する危険がある。被移送粉末が極めて細かいカーボンナノチューブのようなナノ粒子ではこの危険はさらに増大する。しかも、この装置では円錐弁を運動させるための外部制御装置を容器内に通す必要があるため、カーボンナノチューブを工業用に充填する方法としては使えない。こうした決定の他に、弁のスラスト機構およびシャットオフヘッドの戻し機構を備え、それを収納した容器内部で縦方向軸線に沿って移動させなければならないため上記タイプの弁は複雑になり、大型になってしまう。
【先行技術文献】
【特許文献】
【０００５】
【特許文献１】欧州特許第EP 1 468 917号公報
【発明の概要】
【発明が解決しようとする課題】
【０００６】
ＣＮＴが人および環境に与える影響はまだ不明であるが、本発明者は工業的スケールでＣＮＴを移送するという課題を解決しなければならなくなった。この課題を解決するために、本発明者は環境に対する安全性が最高レベルで、しかも、工業的スケールで使用可能な解決策を選択した。
【０００７】
本発明者は、予防原理を採用し、ＣＮＴを1つの容器から別の容器へ２つの容器の間に配置した機械的連結装置を介して移送するときに最高レベルの安全性を確保できる解決策を捜した。特に、工業的プロセスとして許容される方法でＣＮＴを一つの貯蔵容器から別の貯蔵容器へ充填する操作を最高の安全性を確保して行える解決策を捜した。
この同じアプローチで、本発明者はＣＮＴを製造する反応装置から、ＣＮＴ粉末を輸送し、それを容器中に包装するまでを工業的プラント全体で最高レベルの安全性で行うことができる解決策を捜した。
【０００８】
その結果、本発明者はＣＮＴを収容した容器とそのＣＮＴを受ける容器との間の連結（カップリング）を二重弁式の安全装置を用いて行う安全な充填方法を開発した。
この二重弁装置は移送中に外部空気に曝される部分が汚染されないので、移送中（さらには移送後でも）に環境に対して最大の密封性および安全性を確保できる。
【０００９】
本発明者は、カーボン・ナノチューブを最大限の安全性で移送でき、しかも、1つ場所から他の場所へＣＮＴを移送する工業的解決策を提供するために、容器に例えば「ブック、Buck、登録商標」または「グラット、Glatt、登録商標」タイプの二重弁装置を備える方法を選択した。これらの二重弁装置はバタフライバルブ（蝶弁、vanne a papillon）ともよばれている。この二重弁装置はかさばらない平らな２つの円筒形の要素から成る非常にコンパクトな装置で、密封性が高い。各要素が弁を構成し、その一方はアクティブ弁（vanne active）とよばれ、他方の弁は受け側弁(vane passive)とよばれる。
【００１０】
上記の「ブック、Buck」または「グラット、Glatt」タイプの二重弁装置は医薬品の実験室でＣＮＴよりも直径が大きな粒度を有する粉末を少量取扱うのに用いられてきた。この種の装置はアクティブ弁（第１弁）と受け側弁とから成る。開口制御装置は装置のアクティブ弁の外周部上にある。この二重弁装置が開かれるのは２つの弁が互いに連結（カップリング）した場合だけである。連結していない時には開口制御装置はロックされる。この種の弁によって互いに連結された２つの容器の間の流路は、開口制御装置の作用下で直径方向の軸を中心としてピボット運動する互いに対向したシャッタによって開閉される。容器内に収容された製品と接触するシャッタの表面が外部と接触することは決してない。従って、２つの弁の接続が遮断された後には、収容された製品（粉末等）はシャッタの外部表面上に存在することはない。従って、収容された製品の移送中だけでなく移送後も環境は保護される。
【課題を解決するための手段】
【００１１】
本発明の一つの対象は、カーボンナノチューブ（ＣＮＴ）を連結装置を介して通過させることによってカーボンナノチューブ（ＣＮＴ）を1つの容器から別の容器へ移して充填する工業的な方法であって、上記連結装置は二重弁装置を有し、その各弁は上記２つの容器の一つと連結され、各弁は各々独立して密封状態で閉じられ、両方の弁が互いに連結したときのみにしか開かず、上記二重弁装置はバタフライ弁タイプの二重弁装置であることを特徴とする方法にある。
【００１２】
本発明のＣＮＴの充填方法をＣＮＴの計量に用いる場合には、ＣＮＴはコンテナから計量装置へ移され、本発明方法は、アクティブ弁とよぶ一方の弁を上記コンテナに連結し、受け側弁とよぶ他方の弁を計量装置に連結することから成る。
本発明のＣＮＴの充填方法を貯蔵ホッパーから容器中へＣＮＴを充填するのに用いる場合の本発明方法は、アクティブ弁とよぶ一方の弁を上記貯蔵ホッパーの出口ラインへ連結し、受け側弁とよぶ他方の弁を上記コンテナに連結することから成る。
【００１３】
本発明はさらに、カーボンナノチューブを1つの容器から別の容器へ移して充填する工業的な充填システムに関するものである。この場合の本発明充填システムは２つの容器の間を連結する手段を有し、この手段は二重弁装置を有し、その第１弁を上記２つの容器の一方と連結し、その第２弁を他方と連結し、各弁は各容器に取付けられた後に各々独立して密封状態で閉じられ、両方の弁は互いに連結でき、連結した時に各弁は開き、上記二重弁装置はバタフライ弁タイプの二重弁装置である。上記二重弁装置の少なくとも一つの弁はアクティブ弁、すなわち開口制御装置を有する弁である。第２の弁は受け側弁である。
【００１４】
上記二重弁装置は平ら且つコンパクトで、互いに対向したシャッタを有し、各シャッタはアクティブ弁の外周部にある開口制御装置の制御下に直径方向の軸を中心にピボット運動する。
本発明の充填システムは容器の直径と弁の直径とを合わせるためのアダプターを有する。各弁と連結できるようにするためにアダプターは各容器の開口に固定できる。
【００１５】
本発明は、ＣＮＴを1つの容器から他方の容器へ移すか、1つの容器からＣＮＴを移して他方の容器を充填することができる二重弁装置の弁を備えた任意の容器にも関するものである。
貯蔵容器タイプの容器は二重弁装置のアクティブ弁に連結される。ＣＮＴを包装する容器または他の移送容器は本発明装置の受け側弁に連結される。この弁は例えば容器の開口に直接接続することができる。
【００１６】
本発明はさらに、本発明のカーボン・ナノチューブの充填システムを備えた、容器中にＣＮＴを包装（パッケージング）するための工業的プラントにも関するものである。
本発明の上記以外の特徴および利点は、添付の図面を参照した以下の実施例の説明から明らかになるであろう。しかし、本発明が下記実施例に限定されるものではない。
【図面の簡単な説明】
【００１７】
【図１】第１の容器から別の容器へＣＮＴを移すことを含む最初の用途で本発明方法を実行するためのＣＮＴ充填システムのダイアグラム。
【図２】本発明方法を実行するためのＣＮＴ充填システムを用いたＣＮＴを容器中へ包装するための工業的プラントのダイアグラム。
【図３】３Ａおよび３Ｂは図４の４Ａおよび４Ｂの装置３０のそれぞれ非結合位置および結合位置でのＡＡ断面であり、図３Ｃおよび３Ｄは同じ装置のＢＢ断面である。
【図４】装置３０の図。
【図５】反応装置100とパッケージング段階との間の空気コンベヤラインを備えたＣＮＴの工業的包装プラントのダイアグラム。
【発明を実施するための形態】
【００１８】
ＣＮＴを大規模に取扱う必要が生じたため、本発明者は製造フェーズすなわちＣＮＴを製造する反応装置からＣＮＴを容器中に包装、パッケージするまでをカバーする工業的プラントを作った。容器の寸法は末端ユーザーに応じて20リットルから2000リットルまで変化する。
本発明はこの開発の一部で成されたもので、一つの容器を他の容器に直接または出口ラインを介して機械的に連結する必要が生じたときに、ＣＮＴを1つの容器から別の容器へ移送するのに使用される。容器は包装（パッケージング）用の容器でも、他の容器、例えば計量用容器でもよい。
以下、本発明方法を２つの用途で使用する場合と、本発明方法を実行するためのシステムについて説明する。
【００１９】
［図１］は本発明の最初の用途を示すダイアグラムである。図示した方法および実施システムを用いることでＣＮＴを収容した容器10から他の容器20へＣＮＴを移すことができる。ＣＮＴが移される容器20は例えば計量装置でもよい。容器20は貯蔵容器である。
２つの容器10、20の連結（カップリング）300は二重弁装置（double-valve device）30を介して行われる。弁31および弁32は２つの容器の各開口部に結合されている。
連結部からＣＮＴ粉末の全ての残留物を抜き出すために、二重弁装置30には吸引装置50が連結されている。
【００２０】
ＣＮＴの輸送のためにシャトル容器を使用する必要はない。すなわち、容器が二重弁と同じ直径を有する開口を有する必要はなく、標準直径の容器を使用することができる。そのために容器の蓋は外す。そして、移送装置用に［図１］の33で示すような直径用のアダプターを取り付ける。これは標準容器の直径は二重弁の直径より大きいためである。アダプター33は円錐形で、その一方の開口は蓋の代わりに容器に取付けられ、他方の開口は弁31および／または32に固定される。
ＣＮＴを容器に詰める第２の用途の場合でのＣＮＴ充填方法を以下説明する。
【００２１】
［図２］はＣＮＴを輸送せずに包装を行なう第１の典型的な実施例のダイアグラムで、ＣＮＴ粉末を貯蔵した貯蔵ホッパー103から容器200中へＣＮＴを移す場合である。ホッパー103の出口と容器200の開口との間の機械的連結は「ブック（Buck）、登録商標）」または「グラッツ（Glatt）、登録商標）」の名称で市販（上記と同じ社名の会社から市販）のバタフライ弁タイプの二重弁装置30によって行われる。容器200の直径が弁32の直径と同じでない場合には、直径を合わせるために容器200に上記アダプター33を付けることができる。
【００２２】
反応装置100からこの包装ステーションまでに必要なこの工業プラントの要素は以下の通りである：
（１）冷却装置101
（２）スクリーン102
（３）貯蔵ホッパー103
（４）弁301、302
（５）二重弁装置30を含む包装用充填システム300
【００２３】
コークスを含まない非常に高品質の粉末を得るために最大粒子を除去する。そのために冷却装置の後にスクリーン102を配置して大径粒子を除去する。このスクリーン102は完全に密封され且つオペレータとＣＮＴ粉末との間の接触を許すものであってはならない。例としてはリテック（RITEC）社のコンパクトなスクリーンがある。スクリーンのカットオフは0.1m2の濾過面積の場合、400mmのスクリーン直径で２mmである。この装置の利点は横方向のモーターを備え、スクリーニング性能が大きい点にあり、高流速で粉末を連続的にスクリーニングすることができる。
スクリーン102の出口にホッパー103を連結する。ホッパーは錐体形で、ステンレス鋼で作られ、典型的な実施例では350リットルの容積を有している。
バタフライ−タイプ二重弁装置30を用いることによって機械的連結300によってホッパーの入口から容器200の開口までの間でＣＮＴを安全に充填することができる。
【００２４】
このダイアグラムに図示していない変形例では、ホッパー103からのＣＮＴを制御弁を通することができる。その場合には装置30のアクティブ弁31をこの制御弁に連結する。
包装容器200は装置30の受け側弁32に連結する。
【００２５】
上記「ブック（Buck）、登録商標）」のような蝶型二重弁装置は粉末と外部との間の接触を避けることができるので、ＣＮＴ粉末を完全な安全な状態で移することができる。こ種の弁を用いることでＣＮＴ粉末を高い密封性でダスト無しに移すことができる。この弁の設計からＣＮＴ粉末の外部への漏れ（リーク）と汚染を避けることができる。
この実施例では、アクティブ弁31が貯蔵ホッパーの出口に接続され、受け側弁32が包装容器200の開口に接続されている。
【００２６】
次に［図３］の３Ａ〜３Ｄと［図４］の４Ａ〜４Ｄとを用いて上記二重弁装置の機能について説明する。
容器20または容器200上の受け側弁32が他の容器10（［図１］）またはホッパー103（［図２］）からＣＮＴを受けるアクティブ弁32に連結された時には、各弁のシャッタ34、35の２つの外側表面が互いに当接し、ＣＮＴ粉末によってこれら外側表面が汚染されるのを防止される。従って、弁31、32が互いに離れた時に外部と接触するシャッタ34、35の表面が粉末で汚染されることはない。さらに、２つの弁31、32の連結で開口制御装置36がアンロックされて、その後にシャッタが制御下にピポット運動できるようになる。この制御は自動でも手動でもよい。二重弁が開口した後に外部への漏れ（リーク）無しに、ＣＮＴ粉末は流れることができる。
【００２７】
［図５］は運搬後に包装を行う第２実施例のダイアグラムである。この場合のプラント１２はＣＮＴを製造する反応装置100から遠く離れた（例えば他の建物または異なる階にある）貯蔵ホッパー106へＣＮＴを移送する回路を含んでいる。
運搬タイプとしては高濃度で粒子を運搬でき、ＣＮＴ粉末の品質を保存でき、微粉末の生成を防止できる空気コンベアを選択する。搬送気体は空気である。
完全に安全に運送するために、回路内を減圧して、万一リークした場合でもＣＮＴ粉末が大気中に放出されないような操作を選択した。
【００２８】
反応装置100から包装段階までの工業的プラントを構成する要素は以下の通りである：
（１）ＣＮＴを製造するための反応装置（100）、
（２）冷却装置（101）、
（３）エアーロック（120）、
（４）空気コンベヤ（400）、
（５）空気濾過（108）を備えた減圧チャンバ（105）、
（６）インラインスクリーン（102）、
（７）貯蔵ホッパー（106）、
（８）計量弁（104）、
（９）空気濾過器（107）、
（10）蝶型二重弁装置（安全弁付き装置）を用いた包装用充填システム300。
【００２９】
エアーロック 120は反応装置100で製造したＣＮＴ粉末を回収することができ、減圧の代わりに窒素を用いることで空圧コンベアで移送する前にこの粉末を不活性化して痕跡量のエチレンおよび水素を除去することができる。必要な場合には、エアーロック 120に加圧器を付けてブローバックで運転することもできる。
水素の存在はリーク時に空気と接触した場合に危険である。ＣＮＴの輸送前にエアロック120の出口に接地したインライン分析装置でエチレン濃度を検査した後にカーボン・ナノチューブの輸送を行う。エチレンが存在しなくなれば、水素は無くなったと仮定できる。
【００３０】
コークスを含まない非常に高品質な粉末を得るために最大粒子を除去する。そのために搬送回路400の減圧チャンバ105の後にインライン・スクリーン102を配置して大径粒子を除去する。このスクリーン102を完全に密封してオペレータとＣＮＴ粉末との間に接触が起きないようにする。コンパクトなスクリーンの例はリテック（RITEC）社から市販されている。スクリーンのカットオフは0.1m2の濾過面積の場合、400mmのスクリーン直径で２mmである。このツールは粉末のスクリーニングを高流速で連続的に行うことができる。この装置の利点は側部モータでスクリーニング性能が高い点にある。
【００３１】
ホッパー106はピラミッド形にし、ステンレス鋼で作るのが好ましい。本実施例の容積は350リットルである。反応装置100で製造したＣＮＴの量を求めるために秤量装置（図示せず）を配置することもできる。
ＣＮＴ粉末と一緒に運ばれた空気はＨＥＰＡフィルタH14のような非常に高効率の濾過器を備えた空気濾過装置107へ送られる。ＨＥＰＡフィルタは空気中の0.3マイクロメートルの直径の粒子の保持能力が99.995％という効率を有している。
本発明のＣＮＴを包装するための充填システムを用いることで種種の異なる容積（小容積：1〜10リットル、大容積：60〜200リットル、1m3まで）（重量で100g〜100kg）のカーボン・ナノチューブを粉末をハンドリングせずに完全に安全な運転で供給することができる。
【００３２】
ホッパーのＣＮＴの入口と容器の開口との間の機械的連結300はバタフライ−タイプの二重弁装置30（ブック、Buck、登録商標」または「グラット、Glatt、登録商標」）によって行うことができる。ホッパーからのＣＮＴは先ず最初に制御弁104を通る。二重弁装置30のアクティブ弁31は制御弁104に連結している。
制御弁104は大型化を避けるためにドジマット（DOSIMAT）タイプの計量装置を有している。この弁は断面DN 150を有し、円形のディスクセットから成る。このディスクセットは軸線を中心にピポット運動するシリンダーによって運動され、完全に閉じたときから大きく開いたときまで変化する三日月形の開口を通って製品の流れを大きく、または、小さく通過させる。
【００３３】
さらに、ＣＮＴを使用するプラントに設けられた受取りホッパーに移送した後に空にされる容器を受ける準備も用意されている。この場合には受取りホッパーアクティブ弁を付けて移送が完全に安全に実行できるようにする。
上記の工業的プラントを用いることで、ＣＮＴ粉末は完全に安全に包装でき、この安全性はコンテナーへの包装ときでも、反応装置から安全連結装置30までの運搬ライン全体で確保される。
【符号の説明】
【００３４】
100  反応装置、
200  容器、
300  連結（カップリング）装置
30  二重弁装置、
31、32  弁
【図１】
0006005213.tif 000002
【図２】
0006005213.tif 000003
【図３】
0006005213.tif 000004
【図４】
0006005213.tif 000005
【図５】
0006005213.tif 000006